(57)【要約】本発明はひと月の日付を表示するタイムピースに関し、該タイムピースは、少なくとも部分的に重なり合い、ひと月の日付の一位と十位とを表示する２枚の回転ディスク（22，24）を有することによって特徴付けられる。この２枚の回転ディスク（22，24）には、０〜９の連続数字と、０，１，２，３，３の順番に並ぶ数字とが周縁環上に均等に分配して記されており、２枚のディスクは一方の数字と他方の数字とが並列して表示されるように配置されている。本発明のタイムピースは、前記並列された数字がひと月の日付を示すように、前記回転ディスクを駆動する機構（12，14，28，32，38）も有している。
2005539213.tif 000002
【特許請求の範囲】
【請求項１】
−０〜９の連続数字と、０，１，２，３，３の順番に並ぶ数字とを規則的に周縁環上に分配し、一方の数字と他方の数字とが並列して表示されるように配置された、少なくとも部分的に重なり合い、ひと月の日付の一位と十位とを表示する２枚の回転ディスク（22，24）、及び
−前記並列された数字がひと月の日付を示すように、前記ディスクを回転させる機構
を有するひと月の日付を表示するタイムピース。
【請求項２】
前記機構が
−深夜頃、一日に１ステップずつ進行することによって、31日で一回転するように駆動される第一丸穴車（12）、
−前記第一丸穴車に取り付けられると共に、その内の２個のみが１個の歯の欠落に対応するダブルスペース分の距離を開けて配置されている外は、等間隔に配された30個の歯を有する追加丸穴車（14）、
−前記一位用ディスク（22）と一体化されていると共に10個の歯を有し、前記追加丸穴車（14）の歯によって駆動されるカナ（28）、
−前記カナ（28）と咬合する31個の歯を有する車（32）、
−前記31個の歯を有する車（32）に取り付けられ、第一の突起（Ａ）、第二の突起（Ｂ）、第三の突起（Ｃ）、及び第四の突起（Ｄ）を有し、該第一の突起（Ａ）と該第二の突起（Ｂ）との間の角度、該第二の突起（Ｂ）と該第三の突起（Ｃ）との間の角度、及び該第四の突起（Ｄ）と該第一の突起（Ａ）との間の角度が実質的に116゜であり、該第三の突起（Ｃ）と該第四の突起（Ｄ）との間の角度が実質的に11.6゜であるようにこれらの突起が分散配置された車（38）、並びに
−前記十位用ディスク（24）と一体化されていると共に前記突起（Ａ，Ｂ，Ｃ，Ｄ）によって駆動される５個の歯を有し、前記追加丸穴車（14）の歯によって駆動されるために設けられる１個の更なる歯を有するカナ（40）
を有することを特徴とする、請求項１に記載のタイムピース。
【請求項３】
前記２つのディスク（22，24）が同じ半径ｒを有し、これらのディスクと一体化しているそれぞれのカナ（28，40）の軸が2(r-e)に実質的に等しい距離だけ離れており、ここで、ｅは一位と十位との数字が記されている周縁環の幅であることを特徴とする、請求項２に記載のタイムピース。
【請求項４】
前記カナ（28，40）の各々が、カナの位置を定めるジャンパー（30，42）と連結していることを特徴とする、請求項２及び３のいずれか一項に記載のタイムピース。
【請求項５】
前記一位用ディスク（22）は前記十位用ディスク（24）よりもわずかに低い位置にあり、該十位用ディスクは、前記周縁環のそれぞれに示されている数字を並列に表示すべく前記一位用ディスクと部分的に重なり合い、十位用ディスクの各数字の右側には孔が設けられており、この開口窓によってその下にある一位の数字が見えるようになっていることを特徴とする、請求項１〜４のいずれか一項に記載のタイムピース。
【発明の詳細な説明】
【技術分野】
【０００１】
本発明は、十の位と一の位とをなす一連の数字をそれぞれ支持する２枚のディスクによって、ひと月の日付を表示するタイムピースに関する。このような構造は、大きな数字でその月の日付の表示を作ることを、実質的に意図している。
【背景技術】
【０００２】
この型のタイムピースは、例えば、フランス特許出願第99 09425号に記載されている。十位用ディスクには０，１，２，３の連続数字が２セット表示されており、一位用ディスクには０，１，２，３，４，５，６，７，８，９の連続数字が表示されている。これらのディスクは２つのカナによって駆動され、これらのカナは該ディスクと咬合すると共に制御輪の２枚の重なり合うプレートと相互作用する。この制御輪の歯は、２枚のディスクの並列する数字がひと月の日付を示すように、分配・配置される。
【０００３】
同じ型のタイムピースがスイス特許第316,461号に記載されている。そして、一位用ディスクは10個の数字を表示しており、十位用ディスクは１，２，３，空間，１，２，３，空間という数列を表示している。
【０００４】
【特許文献１】フランス特許出願第99 09425号
【特許文献２】スイス特許第316,461号
【発明の開示】
【発明が解決しようとする課題】
【０００５】
これらの構造はかなり新しいものであるが、実施するのには必ずしも容易ではない。
【０００６】
したがって、本発明の目的は、動作の安全性を犠牲にすることなく、特に容易に実施することの出来る、大きな数字でひと月の日付を表示するシステムを提供することである。
【課題を解決するための手段】
【０００７】
より正確には、本発明は、
−０〜９の連続数字と、０，１，２，３，３の順番に並ぶ数字とを規則的に周縁環上に分配し、一方の数字と他方の数字とが並列して表示されるように配置された、少なくとも部分的に重なり合い、ひと月の日付の一位と十位とを表示する２枚の回転ディスク、及び
−前記並列された数字がひと月の日付を示すように、これらのディスクを回転させる機構
を有するひと月の日付を表示するタイムピースに関する。
【０００８】
特に効果的な方法では、前記駆動機構が
−深夜頃、一日に１ステップずつ進行し、31日で一回転するように駆動される第一丸穴車、
−前記第一丸穴車に取り付けられると共に、その内の２個のみが１個の歯の欠落に対応するダブルスペース分の距離を開けて配置されている外は、等間隔に配された30個の歯を有する追加丸穴車、
−10個の歯を有し、前記追加丸穴車の歯によって駆動される、前記一位用ディスクと一体化しているカナ、
−前記カナと咬合する31個の歯を有する車、
−前記31個の歯を有する車に取り付けられ、第一の突起、第二の突起、第三の突起、及び第四の突起を有し、第一の突起と第二の突起との間の角度、第二の突起と第三の突起との間の角度、及び第四の突起と第一の突起との間の角度が実質的に116゜であり、第三の突起と第四の突起との間の角度が実質的に11.6゜であるようにこれらの突起が分散配置された車、並びに
−前記十位用ディスクと一体化されていると共に前記突起によって駆動される５個の歯を有し、前記追加丸穴車の歯によって駆動されるために設けられる１個の更なる歯を有するカナ
を有することを特徴とする。
【０００９】
本発明のタイムピースは、好ましい態様として、さらに
−前記２つのディスクが同じ半径ｒを有し、これらのディスクと一体化しているそれぞれのカナの軸が2(r-e)に実質的に等しい距離だけ離れており、ここで、ｅは一位と十位との数字を有する周縁環の幅であり、
−前記カナの各々は、カナの位置を定めるジャンパーと連結しており、
−一位用ディスクは十位用ディスクよりもわずかに低い位置にあり、該十位用ディスクは、前記周縁環のそれぞれに記されている数字を並列に表示すべく前記一位用ディスクと部分的に重なり合い、十位用ディスクの各数字の右側には孔が設けられており、この開口窓によってその下にある一位の数字が見えるようになっていることを特徴とする。
【発明を実施するための最良の形態】
【００１０】
本発明の他の特長は、添付の図面を参照してなされる以下の記載から明らかになろう。
【００１１】
図示されているタイムピースは、筒車から動かされる駆動指状突起の押圧動作を受ける機能を有する31個の歯を文字盤と反対側に備え、板10に搭載された、ひと月の日付を示す丸穴車12を有している。この丸穴車は、深夜に、一日に１ステップずつ進むことによって、31日で１回転するようになっている。これら31個の歯は、位置決めジャンパーの動作の影響も受けるようになっている。このような機構は完全に従来からあるものであり、当業者にはよく知られているので、詳細には記載しない。
【００１２】
丸穴車12は、その一部が同心であり、ねじ16によって丸穴車12に取り付けられている追加丸穴車14をその上面で受ける。この丸穴車は、その内の２個が１個の歯の不存在に対応するダブルスペースによって離されている以外は、等間隔に配された30個の歯をその内側に有するという特長を有している。
【００１３】
板10は、５時の位置と７時の位置とで、２本の心棒18を支持しており、この心棒に同じ半径ｒの２枚のディスク22と24とがねじによって軸支回転可能に取り付けられている。
【００１４】
左側のディスク22は、ひと月の日付の一位を表示し、幅ｅの周縁環に等間隔に配置された０（又は空欄）〜９の連続数字を有している。
【００１５】
右側のディスク24は、ひと月の日付の十位を表示し、同じ幅ｅを有する周縁環に等間隔に配置された０，１，２，３，３という順番に並ぶ数字を有している。
【００１６】
一位用ディスク22は、十位用ディスク24よりもわずかに低い位置にあり、十位用ディスクは、その６時の位置で、ひと月の日付を表示するそれぞれの周縁環の数字を並列に表示する。十位用ディスク24には、各数字の右側に貫通孔が設けられており、この開口窓26によって十位用ディスクの下側にある一位の数字が見えることに注意されたい。
【００１７】
勿論、２つの数字の並記が正しく行われるために、ディスクの回転支軸を形成する心棒18間の距離は、実質的に2(r-e)に等しくなければならない。
【００１８】
本発明の機構を理解するのを容易にするために、図において、機構を構成する様々な可動部品には回転方向を示す矢印が付けられている。
【００１９】
一位用ディスク22は、ジャンパー30（図２においてのみ見える）によって位置決めされると共に追加丸穴車14の歯によって作動される、10個の歯を有するカナ28に連結している。この一位用ディスクは10日で一回転する。
【００２０】
10個の歯を有するカナ28は、31個の歯を有していて31日で一回転する車32と咬合している。この車32には、４つの突起Ａ，Ｂ，Ｃ及びＤを有する車38が、ピン34によって位置を定められると共にねじ36によって取り付けられている。これらの突起は、ＡとＢとの間の角度、ＢとＣとの間の角度、及びＤとＡとの間の角度が実質的に116゜、ＣとＤとの間の角度が実質的に11.6゜になるように分散配置されている。
【００２１】
４つの突起を有する車38は、５個の歯を有すると共に31日で１回転するカナ40（図２においてのみ見える）と咬合している。このカナ40は、十位用ディスク24と連結されていてジャンパー42によって位置が定められる。このカナは、その５個の歯とは異なる高さに、前記追加丸穴車14の歯の内の１つによって押されるように配置された６番目の歯44を有している。
【００２２】
以上に記載した機構においては、以下に示される機能が行われるように、様々な可動部材が最初から配置されている。
【００２３】
各月の最初の夜には、深夜に近付くにつれ、10個の歯を有するカナ28は追加丸穴車14によって押されて１ステップ進み、一位用ディスク22を、十位用ディスク24によって表示されている数字０の横に数字２を表示するような位置に動かす。同時に、31個の歯を有する車32と４つの突起を有する車38とが１ステップ進むが、後者の車38は５個の歯を有するカナ40には接触しない。したがって、十位用ディスク24は数字０の位置に留まっている。即ち、表示は０２である。
【００２４】
各月の９日の夜には、カナ28は一位用ディスク22を、それが数字０を表示する位置に進める。同時に、車32と車38とは１ステップ進むが、車38の突起Ａは、十位用ディスク24が１の位置に進むように、カナ40を１ステップ進める。すると、表示は１０になる。
【００２５】
同じことが、19日の夜にも適用されるが、十位用ディスク24を、数字２を表示する位置に進めるのは突起Ｂである。こうして、表示は２０になる。
【００２６】
同じことが、29日の夜にも又適用されるが、十位用ディスク24を、最初の数字３を表示する位置に進めるのは突起Ｃである。したがって、表示は３０になる。
【００２７】
30日の夜、一位用ディスク22は数字１を表示する位置に進み、突起Ｄは十位用ディスク24を第二の数字３を表示する位置へと押す。このようにして、表示は３１になる。
【００２８】
最後に、31日の夜には、追加丸穴車14から歯が１つ欠けているので、一位用ディスク22は動かずに数字１を表示し続ける。しかしながら、カナ40の６番目の歯44は、環14の歯によってたたかれ、十位用ディスク24を、数字０を表示する位置に押す。こうして、表示は０１へと動く。
【００２９】
当然のことながら、以上に特別な記載をしてこなかった夜には、４つの突起を有する車38は５個の歯を有するカナ40に触れないので、本発明の機構は、十位用ディスク24に触れることなく、一位用ディスク22を１ステップ進めるだけである。
【図面の簡単な説明】
【００３０】
【図１】図１は、本発明のタイムピースの展開図である。
【図２】図２は、部分平明図である。
【図３】図３は、このタイムピースをIII−III線で切断した図である。
【図１】
2005539213.tif 000003
【図２】
2005539213.tif 000004
【図３】
2005539213.tif 000005
【手続補正書】
【提出日】平成16年8月10日(2004.8.10)
【手続補正１】
【補正対象書類名】特許請求の範囲
【補正対象項目名】請求項１
【補正方法】変更
【補正の内容】
【請求項１】
−０〜９の連続数字と、０，１，２，３，３の順番に並ぶ数字とを規則的にそれぞれの周縁環上に分配し、一方の数字と他方の数字とが並列して表示されるように配置された、少なくとも部分的に重なり合い、ひと月の日付の一位と十位とを表示する２枚の回転ディスク（22，24）、及び
−前記並列された数字がひと月の日付を示すように、前記ディスクを回転させる機構
を有するひと月の日付を表示するタイムピース。
【手続補正２】
【補正対象書類名】明細書
【補正対象項目名】０００７
【補正方法】変更
【補正の内容】
【０００７】
より正確には、本発明は、
−０〜９の連続数字と、０，１，２，３，３の順番に並ぶ数字とを規則的にそれぞれの周縁環上に分配し、一方の数字と他方の数字とが並列して表示されるように配置された、少なくとも部分的に重なり合い、ひと月の日付の一位と十位とを表示する２枚の回転ディスク、及び
−前記並列された数字がひと月の日付を示すように、これらのディスクを回転させる機構
を有するひと月の日付を表示するタイムピースに関する。


【国際調査報告】
2005539213.tif 000006
2005539213.tif 000007
2005539213.tif 000008
2005539213.tif 000009